(57)【要約】【課題】ヒートポンプを効率よく動作させて除湿を有効に行うことができ、内気循環の割合を多くしても快適な状態で（曇りをなくした状態で）温度調整を行うことができる空調装置を備えた電動車両とする。【解決手段】経路切換え手段１２による媒体の流通方向、第１膨張弁８、第２膨張弁９の開放状態、絞り状態の動作を制御し、温度調節熱交換器５、湿度調節熱交換器６、採・放熱熱交換器７での流体の潜顕熱を個別に制御すると共に、外気、内気の循環を制御し、車室３の内部の温度と湿度の調節を行い、内気循環の割合を多くして圧縮手段１１の動力を抑制し、快適な状態で（曇りをなくした状態で）温度調整を行う。【選択図】  図１
2018176936.tif 000002
【特許請求の範囲】
【請求項１】
装置ケースから車室に空調用の流体が送風されるヒートポンプサイクルの空調装置を備えた電動車両であって、
前記装置ケースの中に配され、媒体が伝熱管を流通する温度調節熱交換器と、
前記装置ケースの中に配され、前記媒体が流通する伝熱管の外側にデシカント材が塗布される湿度調節熱交換器と、
前記装置ケースの外に配され、外気との間で熱交換されることで前記媒体の温度を調整する採・放熱熱交換器と
前記湿度調節熱交換器の一方側の前記媒体の経路に備えられ、開放状態と絞り状態に動作が制御される第１膨張弁と、
前記湿度調節熱交換器の他方側の前記媒体の経路に備えられ、開放状態と絞り状態に動作が制御される第２膨張弁と、
媒体を圧縮する圧縮手段と、
前記圧縮手段で圧縮された媒体である圧縮媒体の前記温度調節熱交換器、もしくは、前記採・放熱熱交換器への供給を切換える経路切換え手段とを備え、
前記採・放熱熱交換器と前記湿度調節熱交換器の間に前記第１膨張弁が接続されると共に、前記温度調節熱交換器と前記湿度調節熱交換器の間に前記第２膨張弁が接続され、
前記採・放熱熱交換器と前記温度調節熱交換器の間に前記経路切換え手段が接続され、
前記温度調節熱交換器、及び、前記湿度調節熱交換器の少なくとも一方で熱交換された流体が前記車室に送風される
ことを特徴とする電動車両。
【請求項２】
請求項１に記載の電動車両において、
運転モードの指示の情報に基づいて、前記経路切換え手段、前記第１膨張弁、前記第２膨張弁の動作を制御する制御手段を備えた
ことを特徴とする電動車両。
【請求項３】
請求項２に記載の電動車両において、
前記運転モードは、
前記圧縮媒体が前記温度調節熱交換器に送られることで前記温度調節熱交換器が凝縮器とされ、膨張された媒体が前記湿度調節熱交換器に送られることで前記湿度調節熱交換器が蒸発器とされ、前記車室の内気を前記装置ケースの中の前記湿度調節熱交換器、及び、前記温度調節熱交換器に循環させ、前記湿度調節熱交換器の前記デシカント材に前記内気の水分を吸着させると共に、前記温度調節熱交換器で前記内気を昇温させる暖房・除湿運転モードと、
前記圧縮媒体が前記温度調節熱交換器を流通して送られることで前記湿度調節熱交換器が凝縮器とされ、外気が前記装置ケースの中に送られ、前記湿度調節熱交換器の前記デシカント材の水分が外気に放出されて前記車室に送風され、前記車室から排気される暖房・換気運転モードと、を有し、
前記制御手段は、
前記暖房・除湿運転モードが選択された場合、
前記圧縮媒体を前記温度調節熱交換器、前記第２膨張弁、前記湿度調節熱交換器、前記第１膨張弁、前記採・放熱熱交換器の順に送るように前記経路切換え手段を動作させると共に、前記第１膨張弁、及び、前記第２膨張弁を絞り状態に動作させ、
前記暖房・換気運転モードが選択された場合、
前記圧縮媒体を前記温度調節熱交換器、前記第２膨張弁、前記湿度調節熱交換器、前記第１膨張弁、前記採・放熱熱交換器の順に送るように前記経路切換え手段を動作させると共に、前記第１膨張弁を絞り状態に動作させ、前記第２膨張弁を開放状態に動作させる
ことを特徴とする電動車両。
【請求項４】
請求項２もしくは請求項３に記載の電動車両において、
前記運転モードは、
前記圧縮媒体が前記採・放熱熱交換器を流通し、膨張されて前記湿度調節熱交換器に送られることで前記湿度調節熱交換器が蒸発器とされ、膨張された媒体が前記温度調節熱交換器に送られることで前記温度調節熱交換器が蒸発器とされ、前記車室の内気を前記装置ケースの中の前記湿度調節熱交換器、及び、前記温度調節熱交換器に循環させ、前記湿度調節熱交換器の前記デシカント材に前記内気の水分を吸着させると共に、前記温度調節熱交換器で前記内気を降温させる冷房・除湿運転モードと、
前記圧縮媒体が前記採・放熱熱交換器を流通して前記湿度調節熱交換器に送られることで前記湿度調節熱交換器が凝縮器とされ、膨張された媒体が前記温度調節熱交換器に送られることで前記温度調節熱交換器が蒸発器とされ、外気を前記装置ケースの中に送り、前記湿度調節熱交換器の前記デシカント材の水分を外気に放出させ、外気を前記温度調節熱交換器で降温させ、前記車室に送風して前記車室から排気する冷房・換気運転モードと、を有し、
前記制御手段は、
前記冷房・除湿運転モードが選択された場合、
前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁、及び、前記第２膨張弁を絞り状態に動作させ、
前記冷房・換気運転モードが選択された場合、
前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁を開放状態に動作させ、前記第２膨張弁を絞り状態に動作さる
ことを特徴とする電動車両。
【請求項５】
請求項２から請求項４のいずれか一項に記載の電動車両において、
前記運転モードは、
前記圧縮媒体が膨張されて前記湿度調節熱交換器に送られることで前記湿度調節熱交換器が蒸発器とされ、前記車室の内気を前記装置ケースの中の前記湿度調節熱交換器に循環流通させ、前記湿度調節熱交換器の前記デシカント材に前記内気の水分を吸着させる除湿運転モードと、
前記圧縮媒体が前記湿度調節熱交換器に送られることで前記湿度調節熱交換器が凝縮器とされると共に、膨張された媒体が前記温度調節熱交換器に送られることで前記温度調節熱交換器が蒸発器とされ、外気を前記装置ケースの中に送り、前記湿度調節熱交換器の前記デシカント材の水分を外気に放出させ、前記車室に送風して前記車室から排気すると共に、前記車室の内気を前記装置ケースの中の前記温度調節熱交換器に循環流通させて降温する除湿・換気運転モードと、を有し、
前記制御手段は、
前記除湿運転モードが選択された場合、
前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁を絞り状態に動作させ、前記第２膨張弁を開放状態に動作させ、
前記除湿・換気運転モードが選択された場合、
前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁を開放状態に動作させ、前記第２膨張弁を絞り状態に動作させる
ことを特徴とする電動車両。
【発明の詳細な説明】
【技術分野】
【０００１】
本発明は、ヒートポンプサイクルの空調装置を備えた電動車両に関する。
【背景技術】
【０００２】
近年、車両の省エネと環境問題に伴い、エンジンと電動モータを併用して走行するハイブリッド電気自動車（ＨＶ車、ＰＨＶ車）や、電動モータのみで走行する電気自動車（ＥＶ車）等の電動車両が実用化されてきている。電動車両の空調装置としては、エンジンの排熱を十分に利用できないことから、ヒートポンプサイクルを用いた空調装置が提案されている（特許文献１）。
【０００３】
特許文献１で提案された空調装置は、車両のバッテリの電力を多く用いたり、外部からの熱を用いたりすることなく、圧縮機で得られる高温・高圧の媒体により車両の空調を行うことができる。このため、走行に利用できる電力の消費を抑えることができ、走行距離の低下を抑制することができる。
【０００４】
しかし、ヒートポンプサイクルを用いた空調装置では、外気の温度によっては、多くの圧縮動力が必要になり、走行に利用できる電力の消費を抑えるには限界があるのが実情であった。例えば、冬季暖房の場合、湿度が低く低温の外気を導入して、ガラスの曇りを無くした状態で車室内を暖かくしている。このため、低温の外気を所定の温度にするための圧縮動力が多く必要になり、暖房のための電力を多く消費してしまうのが現状であった。外気を導入せずに内気を循環させて暖房を行うことも考えられるが、乗員の呼吸により車室内の湿度が上昇し、ガラスの曇りが発生してしまう。
【先行技術文献】
【特許文献】
【０００５】
【特許文献１】特開２０１５−１０１１８０号公報
【発明の概要】
【発明が解決しようとする課題】
【０００６】
本発明は上記状況に鑑みてなされたもので、ヒートポンプを効率よく動作させて除湿を有効に行うことができ、内気循環の割合を多くしても曇りをなくした状態で温度調整を行うことができる空調装置を備えた電動車両を提供することを目的とする。
【課題を解決するための手段】
【０００７】
上記目的を達成するための請求項１に係る本発明の電動車両は、装置ケースから車室に空調用の流体が送風されるヒートポンプサイクルの空調装置を備えた電動車両であって、前記装置ケースの中に配され、媒体が伝熱管を流通する温度調節熱交換器と、前記装置ケースの中に配され、前記媒体が流通する伝熱管の外側にデシカント材が塗布される湿度調節熱交換器と、前記装置ケースの外に配され、外気との間で熱交換されることで前記媒体の温度を調整する採・放熱熱交換器と、前記湿度調節熱交換器の一方側の前記媒体の経路に備えられ、開放状態と絞り状態に動作が制御される第１膨張弁と、前記湿度調節熱交換器の他方側の前記媒体の経路に備えられ、開放状態と絞り状態に動作が制御される第２膨張弁と、媒体を圧縮する圧縮手段と、前記圧縮手段で圧縮された媒体である圧縮媒体の前記温度調節熱交換器、もしくは、前記採・放熱熱交換器への供給を切換える経路切換え手段とを備え、前記採・放熱熱交換器と前記湿度調節熱交換器の間に前記第１膨張弁が接続されると共に、前記温度調節熱交換器と前記湿度調節熱交換器の間に前記第２膨張弁が接続され、前記採・放熱熱交換器と前記温度調節熱交換器の間に前記経路切換え手段が接続され、前記温度調節熱交換器、及び、前記湿度調節熱交換器の少なくとも一方で熱交換された流体が前記車室に送風されることを特徴とする。
【０００８】
請求項１に係る本発明では、経路切換え手段により圧縮媒体を採・放熱熱交換器、第１膨張弁、湿度調節熱交換に供給する。もしくは、圧縮媒体を温度調節熱交換器、第２膨張弁、湿度調節熱交換に供給する。
圧縮媒体が採・放熱熱交換器に供給された場合、採・放熱熱交換器が凝縮器となり、第１膨張弁が絞られることで圧縮媒体が膨張して湿度調節熱交換が蒸発器として動作する状況（流体の水分がデシカント材に吸着される状況）になり、第１膨張弁が開放されることで圧縮媒体は高圧を維持して湿度調節熱交換が凝縮器として動作する状況（デシカント材から水分が放出される状況）になる。
圧縮媒体が温度調節熱交換器に供給された場合、温度調節熱交換器が凝縮器となり、第２膨張弁が絞られることで圧縮媒体が膨張して湿度調節熱交換が蒸発器として動作する状況（流体の水分がデシカント材に吸着される状況）になり、第２膨張弁が開放されることで圧縮媒体は高圧を維持して湿度調節熱交換が凝縮器として動作する状況（デシカント材から水分が放出される状況）になる。
【０００９】
このため、経路切換え手段の制御により、温度調節熱交換器、採・放熱熱交換器での媒体の温度が調整され、第１膨張弁、第２膨張弁の制御により、湿度調節熱交換での水分の吸着、脱着が調整され、内気を循環させても湿度が低い流体を所望の温度に調整して車室に送風することができる。この結果、ヒートポンプを効率よく動作させて除湿を有効に行うことができ、内気循環の割合を多くしても曇りをなくした状態で温度調整を行うことができる空調装置を備えた電動車両とすることができる。
【００１０】
因みに、特開２０１６−１０１７６７号公報には、ヒートポンプシステムが適用された車両の空調装置が開示され、除湿部材（デシカント部材）を備えた技術が開示されている。特開２０１６−１０１７６７号公報に開示された技術は、流体の流路にデシカント部材を備え、熱交換器を流通する流体の除湿を行う技術である。このため、特開２０１６−１０１７６７号公報に開示された技術は、伝熱管の外側にデシカント材が塗布される湿度調節熱交換器を備え、圧縮媒体の供給の切換えと、膨張弁の動作による媒体の状態の制御とを組み合わせ、水分の吸着と脱着を行って、ヒートポンプを効率よく動作させて除湿を有効に行う、本願発明の技術とは技術内容が全く相違する。
【００１１】
そして、請求項２に係る本発明の電動車両は、請求項１に記載の電動車両において、運転モードの指示の情報に基づいて、前記経路切換え手段、前記第１膨張弁、前記第２膨張弁の動作を制御する制御手段を備えたことを特徴とする。
【００１２】
請求項２に係る本発明では、運転モードの指示情報に基づいて、経路切換え手段、第１膨張弁、第２膨張弁の動作が制御される。運転モードの指示情報に基づいて、冷房、暖房、除湿が切り換えられると共に、冷房、暖房、除湿の際に、湿度調節熱交換のデシカント材から水分を放出する運転として換気に切り換えられ、湿度調節熱交換の再生が行われる。
【００１３】
また、請求項３に係る本発明の電動車両は、請求項２に記載の電動車両において、前記運転モードは、前記圧縮媒体が前記温度調節熱交換器に送られることで前記温度調節熱交換器が凝縮器とされ、膨張された媒体が前記湿度調節熱交換器に送られることで前記湿度調節熱交換器が蒸発器とされ、前記車室の内気を前記装置ケースの中の前記湿度調節熱交換器、及び、前記温度調節熱交換器に循環させ、前記湿度調節熱交換器の前記デシカント材に前記内気の水分を吸着させると共に、前記温度調節熱交換器で前記内気を昇温させる暖房・除湿運転モードと、前記圧縮媒体が前記温度調節熱交換器を流通して送られることで前記湿度調節熱交換器が凝縮器とされ、外気が前記装置ケースの中に送られ、前記湿度調節熱交換器の前記デシカント材の水分が外気に放出されて前記車室に送風され、前記車室から排気される暖房・換気運転モードと、を有し、前記制御手段は、前記暖房・除湿運転モードが選択された場合、前記圧縮媒体を前記温度調節熱交換器、前記第２膨張弁、前記湿度調節熱交換器、前記第１膨張弁、前記採・放熱熱交換器の順に送るように前記経路切換え手段を動作させると共に、前記第１膨張弁、及び、前記第２膨張弁を絞り状態に動作させ、前記暖房・換気運転モードが選択された場合、前記圧縮媒体を前記温度調節熱交換器、前記第２膨張弁、前記湿度調節熱交換器、前記第１膨張弁、前記採・放熱熱交換器の順に送るように前記経路切換え手段を動作させると共に、前記第１膨張弁を絞り状態に動作させ、前記第２膨張弁を開放状態に動作させることを特徴とする。
【００１４】
請求項３に係る本発明では、暖房・除湿運転モードと暖房・換気運転モードを適切に切り換えることができる。
暖房・除湿運転モードが選択された場合、経路切換え手段の動作により、圧縮媒体を温度調節熱交換器、第２膨張弁、湿度調節熱交換器、第１膨張弁、採・放熱熱交換器の順に送り、第１膨張弁、及び、第２膨張弁を絞り状態に動作させ、温度調節熱交換器を凝縮器とし、湿度調節熱交換器を蒸発器とし、車室の内気を装置ケースの中の湿度調節熱交換器、及び、温度調節熱交換器に循環させ、湿度調節熱交換器のデシカント材に内気の水分に吸着させると共に、温度調節熱交換器で内気を昇温する。
暖房・換気運転モードが選択された場合、経路切換え手段の動作により、圧縮媒体を温度調節熱交換器、第２膨張弁、湿度調節熱交換器、第１膨張弁、採・放熱熱交換器の順に送ると共に、第１膨張弁を絞り状態に動作させ、第２膨張弁を開放状態に動作させ、温度調節熱交換器を流通させて圧縮媒体を湿度調節熱交換器に送り湿度調節熱交換器を凝縮器とし、外気を装置ケースの中に送り、湿度調節熱交換器のデシカント材の水分を外気に放出させて車室に送風し、車室から排気する。
暖房・除湿運転モードの運転が所定時間継続した場合、湿度調節熱交換器のデシカント材が飽和状態になったと推定し、自動的に暖房・換気運転モードに切り換えるようにすることができる。
【００１５】
また、請求項４に係る本発明の電動車両は、請求項２もしくは請求項３に記載の電動車両において、前記運転モードは、前記圧縮媒体が前記採・放熱熱交換器を流通し、膨張されて前記湿度調節熱交換器に送られることで前記湿度調節熱交換器が蒸発器とされ、膨張された媒体が前記温度調節熱交換器に送られることで前記温度調節熱交換器が蒸発器とされ、前記車室の内気を前記装置ケースの中の前記湿度調節熱交換器、及び、前記温度調節熱交換器に循環させ、前記湿度調節熱交換器の前記デシカント材に前記内気の水分を吸着させると共に、前記温度調節熱交換器で前記内気を降温させる冷房・除湿運転モードと、前記圧縮媒体が前記採・放熱熱交換器を流通して前記湿度調節熱交換器に送られることで前記湿度調節熱交換器が凝縮器とされ、膨張された媒体が前記温度調節熱交換器に送られることで前記温度調節熱交換器が蒸発器とされ、外気を前記装置ケースの中に送り、前記湿度調節熱交換器の前記デシカント材の水分を外気に放出させ、外気を前記温度調節熱交換器で降温させ、前記車室に送風して前記車室から排気する冷房・換気運転モードと、を有し、前記制御手段は、前記冷房・除湿運転モードが選択された場合、前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁、及び、前記第２膨張弁を絞り状態に動作させ、前記冷房・換気運転モードが選択された場合、前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁を開放状態に動作させ、前記第２膨張弁を絞り状態に動作さることを特徴とする。
【００１６】
請求項４に係る本発明では、冷房・除湿運転モードと冷房・換気運転モードを適切に切り換えることができる。
冷房・除湿運転モードが選択された場合、経路切換え手段の動作により、圧縮媒体を採・放熱熱交換器、第１膨張弁、湿度調節熱交換器、第２膨張弁、温度調節熱交換器の順に送り、第１膨張弁、及び、第２膨張弁を絞り状態に動作させ、圧縮媒体を採・放熱熱交換器に流通させた後、膨張させて湿度調節熱交換器に送り湿度調節熱交換器を蒸発器とし、膨張された媒体を温度調節熱交換器に送り温度調節熱交換器を蒸発器とし、車室の内気を装置ケースの中の湿度調節熱交換器、及び、温度調節熱交換器に循環させ、湿度調節熱交換器のデシカント材に内気の水分を吸着させると共に、温度調節熱交換器で内気を降温させる。
冷房・換気運転モードが選択された場合、経路切換え手段の動作により、圧縮媒体を採・放熱熱交換器、第１膨張弁、湿度調節熱交換器、第２膨張弁、温度調節熱交換器の順に送り、第１膨張弁を開放状態に動作させ、前記第２膨張弁を絞り状態に動作させることで、圧縮媒体を採・放熱熱交換器に流通させて湿度調節熱交換器に送り湿度調節熱交換器を凝縮器とし、膨張された媒体を温度調節熱交換器に送り温度調節熱交換器を蒸発器とし、外気を装置ケースの中に送り、湿度調節熱交換器のデシカント材の水分を外気に放出させ、外気を温度調節熱交換器で降温させて車室に送風し、車室から排気する。
冷房・除湿運転モードの運転が所定時間継続した場合、湿度調節熱交換器のデシカント材が飽和状態になったと推定し、自動的に冷房・換気運転モードに切り換えるようにすることができる。
【００１７】
また、請求項５に係る本発明の電動車両は、請求項２から請求項４のいずれか一項に記載の電動車両において、前記運転モードは、前記圧縮媒体が膨張されて送られることで前記湿度調節熱交換器が蒸発器とされ、前記車室の内気を前記装置ケースの中の前記湿度調節熱交換器に循環流通させ、前記湿度調節熱交換器の前記デシカント材に前記内気の水分を吸着させる除湿運転モードと、前記圧縮媒体が送られることで前記湿度調節熱交換器が凝縮器とされると共に、膨張された媒体が送られることで前記温度調節熱交換器が蒸発器とされ、外気を前記装置ケースの中に送り、前記湿度調節熱交換器の前記デシカント材の水分を外気に放出させ、前記車室に送風して前記車室から排気すると共に、前記車室の内気を前記装置ケースの中の前記温度調節熱交換器に循環流通させて降温する除湿・換気運転モードと、を有し、前記制御手段は、前記除湿運転モードが選択された場合、前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁を絞り状態に動作させ、前記第２膨張弁を開放状態に動作させ、前記除湿・換気運転モードが選択された場合、前記圧縮媒体を前記採・放熱熱交換器、前記第１膨張弁、前記湿度調節熱交換器、前記第２膨張弁、前記温度調節熱交換器の順に送るように前記経路切換え手段を動作させると共に、前記第１膨張弁を開放状態に動作させ、前記第２膨張弁を絞り状態に動作させることを特徴とする。
【００１８】
請求項５に係る本発明では、除湿運転モードと除湿・換気運転モードを適切に切り換えることができる。
除湿運転モードが選択された場合、経路切換え手段の動作により、圧縮媒体を採・放熱熱交換器、第１膨張弁、湿度調節熱交換器、第２膨張弁、温度調節熱交換器の順に送り、第１膨張弁を絞り状態に動作させ、第２膨張弁を開放状態に動作させることで、圧縮媒体を膨張させて湿度調節熱交換器に送り湿度調節熱交換器を蒸発器とし、車室の内気を装置ケースの中の湿度調節熱交換器に循環流通させ、湿度調節熱交換器のデシカント材に内気の水分を吸着させる。
除湿・換気運転モードが選択された場合、経路切換え手段の動作により、圧縮媒体を採・放熱熱交換器、第１膨張弁、湿度調節熱交換器、第２膨張弁、温度調節熱交換器の順に送り、第１膨張弁を開放状態に動作させ、第２膨張弁を絞り状態に動作させることで、圧縮された媒体を湿度調節熱交換器に送り湿度調節熱交換器を凝縮器とし、膨張された媒体を温度調節熱交換器に送り温度調節熱交換器を蒸発器とし、外気を装置ケースの中に送り、湿度調節熱交換器のデシカント材の水分を外気に放出させ、車室に送風して車室から排気すると共に、車室の内気を装置ケースの中の温度調節熱交換器に循環流通させて降温する。
除湿運転モードの運転が所定時間継続した場合、湿度調節熱交換器のデシカント材が飽和状態になったと推定し、自動的に除湿・換気運転モードに切り換えるようにすることができる。
【発明の効果】
【００１９】
本発明の電動車両は、ヒートポンプを効率よく動作させて除湿を有効に行うことができ、内気循環の割合を多くしても快適な状態で（曇りをなくした状態で）温度調整を行うことができる空調装置を備えた電動車両とすることができる。
【図面の簡単な説明】
【００２０】
【図１】本発明の一実施例に係る電動車両における空調装置の概念図である。
【図２】暖房・除湿運転モードが選択された状態の概念図である。
【図３】暖房・換気運転モードが選択された状態の概念図である。
【図４】冷房・除湿運転モードが選択された状態の概念図である。
【図５】冷房・換気運転モードが選択された状態の概念図である。
【図６】除湿運転モードが選択された状態の概念図である。
【図７】除湿・換気運転モードが選択された状態の概念図である。
【発明を実施するための形態】
【００２１】
図１に基づいて本発明の一実施例に係る電動車両を説明する。図１には本発明の一実施例に係る電動車両における空調装置を概念的に示した概略系統を示してある。
【００２２】
図１に示すように、本実施例の空調装置１は、装置ケース２から車室３に空調用の流体が送風されるヒートポンプサイクルの装置とされている。即ち、装置ケース２の中には、媒体が伝熱管を流通する温度調節熱交換器５と、媒体が流通する伝熱管の外側にデシカント材が塗布される湿度調節熱交換器６が備えられている。装置ケース２の外には外気との間で熱交換されることで媒体の温度を調整する採・放熱熱交換器７が配されている。
【００２３】
湿度調節熱交換器６の一方側の媒体の経路には第１膨張弁８が備えられ、第１膨張弁８は開放状態と絞り状態に動作が制御される。湿度調節熱交換器６の他方側の媒体の経路には第２膨張弁９が備えられ、第２膨張弁９は開放状態と絞り状態に動作が制御される。
【００２４】
一方、媒体を圧縮する圧縮手段１１が備えられ、圧縮手段１１で圧縮された媒体（圧縮媒体）は、経路切換え手段１２を介して、温度調節熱交換器５、もしくは、採・放熱熱交換器７のいずれかに供給が切り換えられる。第１膨張弁８は、採・放熱熱交換器７と湿度調節熱交換器６の間に接続され、第２膨張弁９は、温度調節熱交換器５と湿度調節熱交換器６の間に接続されている。
【００２５】
経路切換え手段１２は、圧縮手段１１の出口側につながるポート、気液分離器１３を介して圧縮手段１１の入口側につながるポート、温度調節熱交換器５につながるポート、採・放熱熱交換器７につながるポートが備えられている。経路切換え手段１２の動作により、圧縮手段１１の出口側の圧縮媒体が温度調節熱交換器５側に供給されると共に、採・放熱熱交換器７からの媒体が圧縮手段１１の入口側（気液分離器１３）に供給される状態（暖房を使用する運転モード）にされる。
【００２６】
また、経路切換え手段１２の動作により、圧縮手段１１の出口側の圧縮媒体が採・放熱熱交換器７側に供給されると共に、温度調節熱交換器５からの媒体が圧縮手段１１の入口側（気液分離器１３）に供給される状態（冷房、除湿を使用する運転モード）にされる。
【００２７】
経路切換え手段１２により、圧縮媒体が採・放熱熱交換器７に供給された場合、採・放熱熱交換器７が凝縮器となり、第１膨張弁８が絞られることで圧縮媒体が膨張して湿度調節熱交換器６が蒸発器として動作する状況（流体の水分がデシカント材に吸着される状況）になる。第１膨張弁８が開放されることで圧縮媒体は高圧を維持して湿度調節熱交換器６が凝縮器として動作する状況（デシカント材から水分が放出される状況）になる。
【００２８】
経路切換え手段１２により、圧縮媒体が温度調節熱交換器５に供給された場合、温度調節熱交換器５が凝縮器となり、第２膨張弁９が絞られることで圧縮媒体が膨張して湿度調節熱交換器６が蒸発器として動作する状況（流体の水分がデシカント材に吸着される状況）になる。第２膨張弁９が開放されることで圧縮媒体は高圧を維持して湿度調節熱交換器６が凝縮器として動作する状況（デシカント材から水分が放出される状況）になる。
【００２９】
このため、経路切換え手段１２の制御により、温度調節熱交換器５、採・放熱熱交換器７での媒体の温度が調整され、第１膨張弁８、第２膨張弁９の制御により、湿度調節熱交換器６での水分の吸着、脱着が調整される。このため、装置ケース２の中に、車室３の内気を循環させても、湿度が低い流体を所望の温度に調整して車室３に送風することができる。
【００３０】
この結果、ヒートポンプを効率よく動作させて除湿を有効に行うことができ、内気循環の割合を多くしても快適な状態で（曇りをなくした状態で）温度調整を行うことができる空調装置１となる。
【００３１】
装置ケース２の入口には外気導入口１５が備えられ、外気導入口１５に隣接して車室３につながる内気導入口１６が備えられている。外気導入口１５と内気導入口１６は、流入ダンパー１７により一方が開放されると共に他方が閉じられる。装置ケース２の入口の内側には、流体を湿度調節熱交換器６側に送るブロア１８が備えられている。
【００３２】
装置ケース２の中の温度調節熱交換器５と湿度調節熱交換器６の間には切換えダンパー１９が備えられ、切換えダンパー１９の切り換えにより、ブロア１８で湿度調節熱交換器６に送られた流体が、温度調節熱交換器５を通して車室３に送られる経路と、ブロア１８で湿度調節熱交換器６に送られた流体が、そのまま車室３に送られる経路とが選択される。車室３には換気口４が設けられ、換気口４は排気ダンパー１４により開閉される。
【００３３】
空調装置１には制御手段２１が備えられ、制御手段２１には運転モードの指示の情報が入力され、運転モードの指示の情報に基づいて、経路切換え手段１２、第１膨張弁８、第２膨張弁９の動作が制御される。
【００３４】
運転モードは、暖房・除湿運転モード、暖房・換気運転モード、冷房・除湿運転モード、冷房・換気運転モード、除湿モード、除湿・換気運転モードを有している。運転モードの指示情報に基づいて、冷房、暖房、除湿が切り換えられると共に、冷房、暖房、除湿の際に、湿度調節熱交換器６のデシカント材から水分を放出する運転として換気に切り換えられ、湿度調節熱交換器６の再生が行われる。
【００３５】
図２から図７に基づいて、上述した空調装置における媒体、空調流体の流れの具体的な状況を説明する。
【００３６】
図２から図７には上述した空調装置における媒体、空調流体の流れを概念的に示した概略系統を示してあり、図２は、例えば、冬に暖房・除湿運転モードが選択された状態、図３は、例えば、冬に暖房・換気運転モードが選択された状態、図４は、例えば、夏に冷房・除湿運転モードが選択された状態、図５は、例えば、夏に冷房・換気運転モードが選択された状態、図６は、例えば、梅雨、春、秋に除湿運転モードが選択された状態、図７は、例えば、梅雨、春、秋に除湿・換気運転モードが選択された状態である。
【００３７】
図２に基づいて、例えば、冬に暖房・除湿運転モードが選択された状態を説明する。
【００３８】
暖房・除湿運転モードでは、第１膨張弁８、及び、第２膨張弁９が絞り状態に動作され、流入ダンパー１７により外気導入口１５が閉じられ、内気導入口１６が開き状態にされる。そして、排気ダンパー１４が閉じられると共に、切換えダンパー１９により、ブロア１８からの流体が湿度調節熱交換器６と温度調節熱交換器５を流通して車室３につながる流路が構築される。
【００３９】
経路切換え手段１２の動作により、圧縮手段１１で圧縮された圧縮媒体が、温度調節熱交換器５、第２膨張弁９、湿度調節熱交換器６、第１膨張弁８、採・放熱熱交換器７の順に送られる。この状態で、圧縮流体が温度調節熱交換器５に送られて温度調節熱交換器５が凝縮器（Ｃｏｎ）となり、膨張された流体が湿度調節熱交換器６、及び、採・放熱熱交換器７に送られて湿度調節熱交換器６、及び、採・放熱熱交換器７が蒸発器（Ｅｖａ）となる。
【００４０】
ブロア１８の作動により、車室３の内気（例えば、２０℃）が装置ケース２の中の湿度調節熱交換器６、及び、温度調節熱交換器５に循環される。水分（矢印中○）を含んだ内気（例えば、湿度４０％）は、湿度調節熱交換器６のデシカント材で水分が吸着されて（除湿されて：例えば湿度２０％）、温度調節熱交換器５で昇温（例えば、３０℃）される。除湿昇温された流体は、車室３内の窓ガラス、乗員に向けて吹かれ、窓ガラスの曇りが抑制されると共に、車室３内の乗員の環境が快適にされる。
【００４１】
これにより、湿度調節熱交換器６で内気の除湿を行い、温度調節熱交換器５で流体の昇温を行うことができ、低湿度の外気を装置ケース２、車室３に導入しなくても、内気の循環により、暖房・除湿運転を実施することができる。従って、内気を昇温させるための温度、圧力の圧縮流体を圧縮手段１１から供給することで、暖房・除湿運転を行うことができ、低温の外気を暖房用に昇温させるための高温・高圧の圧縮流体の供給が必要なくなる。
【００４２】
このため、圧縮手段１１の圧縮動力を抑制することができ、暖房・除湿運転時の負荷が減少すると共に、暖房効率が向上し、快適性と安全性（視認性）を確保した状態で、電動車両の長い走行距離を維持することができる。従って、ヒートポンプを効率よく動作させて除湿を有効に行うことができ、内気循環の割合を多くしても快適な状態で（曇りをなくした状態で）温度調整を行うことができる。
【００４３】
図３に基づいて、例えば、冬に暖房・換気運転モードが選択された状態を説明する。
【００４４】
暖房・換気運転モードでは、第１膨張弁８が絞り状態に動作され、第２膨張弁９が開き状態に動作され、流入ダンパー１７により外気導入口１５が開き状態にされ、内気導入口１６が閉じ状態にされる。そして、排気ダンパー１４が開かれると共に、切換えダンパー１９により、ブロア１８からの流体が湿度調節熱交換器６を流通して車室３につながる流路が構築される。
【００４５】
経路切換え手段１２の動作により、圧縮手段１１で圧縮された圧縮媒体が、温度調節熱交換器５、第２膨張弁９、湿度調節熱交換器６、第１膨張弁８、採・放熱熱交換器７の順に送られる。この状態で、圧縮流体が温度調節熱交換器５から湿度調節熱交換器６に送られて、温度調節熱交換器５、及び、湿度調節熱交換器６が凝縮器（Ｃｏｎ）となり、膨張された流体が採・放熱熱交換器７に送られて採・放熱熱交換器７が蒸発器（Ｅｖａ）となる。
【００４６】
ブロア１８の作動により、外気（例えば、０℃）が装置ケース２の中の湿度調節熱交換器６に送られ、湿度調節熱交換器６のデシカント材から水分（矢印中○）が放出（脱着）され、水分を含んだ流体（例えば、湿度２０％）が車室３に送られて換気口４から排気される。
【００４７】
これにより、温度や湿度を大きく変えることなく、車室３内の換気を行うことができ、車室３内の環境を快適に維持することができる。しかも、換気と同時に湿度調節熱交換器６のデシカント材から水分が脱着されるので、湿度調節熱交換器６の再生を行うことができる。
【００４８】
暖房・換気運転モードを行うことにより、車室３内の換気を行うと共に、湿度調節熱交換器６の再生を定期的に行うことができる。暖房・換気運転モードの切換えは、例えば、乗員により適宜行うことができる。
【００４９】
尚、図３に太点線矢印で示したように、外気の一部を温度調節熱交換器５に直接送り、昇温された状態の流体を車室３に送り、換気口４から排気することで、水分を含んだ流体を換気する状況であっても、昇温された流体によって窓ガラスの曇りを抑制することができる。
【００５０】
また、制御手段２１の制御により、暖房・除湿運転モードの運転時間の積算値が所定時間（湿度調節熱交換器６のデシカント材の水分が飽和状態になる時間）になった際に、自動的に暖房・換気運転モードに切換えるようにすることも可能である。また、湿度調節熱交換器６のデシカント材の水分を検出し、検出値が所定値（湿度調節熱交換器６のデシカント材の水分が飽和状態になる値）になった際に、自動的に暖房・換気運転モードに切換えるようにすることも可能である。自動的に暖房・換気運転モードに切換えるようにすることで、湿度調節熱交換器６の再生を確実に行うことができ、暖房・除湿運転モードを安定して実施することができる。
【００５１】
図４に基づいて、例えば、夏に冷房・除湿運転モードが選択された状態を説明する。
【００５２】
冷房・除湿運転モードでは、第１膨張弁８、及び、第２膨張弁９が絞り状態に動作され、流入ダンパー１７により外気導入口１５が閉じられ、内気導入口１６が開き状態にされる。そして、排気ダンパー１４が閉じられると共に、切換えダンパー１９により、ブロア１８からの流体が湿度調節熱交換器６と温度調節熱交換器５を流通して車室３につながる流路が構築される。
【００５３】
経路切換え手段１２の動作により、圧縮手段１１で圧縮された圧縮媒体が、採・放熱熱交換器７、第１膨張弁８、湿度調節熱交換器６、温度調節熱交換器５の順に送られる。この状態で、圧縮流体が採・放熱熱交換器７に送られて採・放熱熱交換器７が凝縮器（Ｃｏｎ）となり、膨張された流体が湿度調節熱交換器６、及び、温度調節熱交換器５に送られて湿度調節熱交換器６、及び、温度調節熱交換器５が蒸発器（Ｅｖａ）となる。
【００５４】
ブロア１８の作動により、車室３の内気（例えば、３０℃）が装置ケース２の中の湿度調節熱交換器６、及び、温度調節熱交換器５に循環される。水分（矢印中○）を含んだ内気（例えば、湿度５０％）は、湿度調節熱交換器６のデシカント材で水分が吸着されて（除湿されて：例えば湿度３５％）、温度調節熱交換器５で冷却（例えば、２０℃）される。除湿降温された流体は、車室３内の乗員に向けて吹かれ、車室３内の乗員の環境が快適にされる。
【００５５】
これにより、湿度調節熱交換器６で内気の除湿を行い、温度調節熱交換器５で流体の冷却を行うことができ、外気を装置ケース２、車室３に導入することなく、内気の循環により、冷房・除湿運転を実施することができる。従って、ヒートポンプを効率よく動作させて除湿を有効に行うことができ、内気循環の割合を多くしても快適な状態で（曇りをなくした状態で）温度調整を行うことができる。
【００５６】
図５に基づいて、例えば、夏に冷房・換気運転モードが選択された状態を説明する。
【００５７】
冷房・換気運転モードでは、第１膨張弁８が開き状態に動作され、第２膨張弁９が絞り状態に動作され、流入ダンパー１７により外気導入口１５が開き状態にされ、内気導入口１６が閉じ状態にされる。そして、排気ダンパー１４が開かれると共に、切換えダンパー１９により、ブロア１８からの流体が湿度調節熱交換器６、温度調節熱交換器５を流通して車室３につながる流路が構築される。
【００５８】
経路切換え手段１２の動作により、圧縮手段１１で圧縮された圧縮媒体が、採・放熱熱交換器７、第１膨張弁８、湿度調節熱交換器６、温度調節熱交換器５の順に送られる。この状態で、圧縮流体が採・放熱熱交換器７から湿度調節熱交換器６に送られて湿度調節熱交換器６が凝縮器（Ｃｏｎ）となり、膨張された流体が温度調節熱交換器５に送られて温度調節熱交換器５が蒸発器（Ｅｖａ）となる。
【００５９】
ブロア１８の作動により、外気（例えば、３５℃）が装置ケース２の中の湿度調節熱交換器６に送られ、湿度調節熱交換器６のデシカント材から水分（矢印中○）が放出（脱着）され、水分を含んだ流体（例えば、湿度４０％）が温度調節熱交換器５に送られ、温度調節熱交換器５で冷却されて車室３に送られ、換気口４から排気される。温度調節熱交換器５では、流体から水分（矢印中○）が落とされて車室３の外に排出される。
【００６０】
これにより、外気を入れて冷却状態を維持し、車室３内の換気を行うことができ、車室３内の環境を快適に維持することができる。しかも、換気と同時に湿度調節熱交換器６のデシカント材から水分が脱着されるので、湿度調節熱交換器６の再生を行うことができる。
【００６１】
冷房・換気運転モードを行うことにより、車室３内の換気を行うと共に、湿度調節熱交換器６の再生を定期的に行うことができる。冷房・換気運転モードの切換えは、例えば、乗員により適宜行うことができる。
【００６２】
また、制御手段２１の制御により、冷房・除湿運転モードの運転時間の積算値が所定時間（湿度調節熱交換器６のデシカント材の水分が飽和状態になる時間）になった際に、自動的に冷房・換気運転モードに切換えるようにすることも可能である。また、湿度調節熱交換器６のデシカント材の水分量を検出し、検出値が所定値（湿度調節熱交換器６のデシカント材の水分が飽和状態になる値）になった際に、自動的に冷房・換気運転モードに切換えるようにすることも可能である。自動的に冷房・換気運転モードに切換えるようにすることで、湿度調節熱交換器６の再生を確実に行うことができ、冷房・除湿運転モードを安定して実施することができる。
【００６３】
図６に基づいて、例えば、梅雨、春、秋に除湿運転モードが選択された状態を説明する。
【００６４】
除湿運転モードでは、第１膨張弁８が絞り状態に動作され、第２膨張弁９が開き状態に動作され、流入ダンパー１７により外気導入口１５が閉じられ、内気導入口１６が開き状態にされる。そして、排気ダンパー１４が閉じられると共に、切換えダンパー１９により、ブロア１８からの流体が湿度調節熱交換器６を流通して車室３につながる流路が構築される。
【００６５】
経路切換え手段１２の動作により、圧縮手段１１で圧縮された圧縮媒体が、採・放熱熱交換器７、第１膨張弁８、湿度調節熱交換器６、温度調節熱交換器５の順に送られる。この状態で、圧縮流体が採・放熱熱交換器７に送られて採・放熱熱交換器７が凝縮器（Ｃｏｎ）となり、膨張された流体が湿度調節熱交換器６、及び、温度調節熱交換器５に送られて湿度調節熱交換器６が蒸発器（Ｅｖａ）となる。
【００６６】
ブロア１８の作動により、車室３の内気（例えば、２５℃）が装置ケース２の中の湿度調節熱交換器６に循環される。水分（矢印中○）を含んだ内気（例えば、湿度６０％）は、湿度調節熱交換器６のデシカント材で水分が吸着され（除湿されて：例えば湿度４０％）、除湿された流体は、車室３内の乗員に向けて吹かれ、車室３内の乗員の環境が快適にされる。
【００６７】
これにより、湿度調節熱交換器６で内気の除湿を行うことができ、外気を装置ケース２、車室３に導入することなく、内気の循環により、除湿運転を実施することができる。従って、ヒートポンプを効率よく動作させて除湿を有効に行うことができ、内気循環の割合を多くしても快適な状態で（曇りをなくした状態で）温度調整を行うことができる。
【００６８】
図７に基づいて、例えば、梅雨、春、秋に除湿・換気運転モードが選択された状態を説明する。
【００６９】
冷房・換気運転モードでは、第１膨張弁８が開き状態に動作され、第２膨張弁９が絞り状態に動作され、流入ダンパー１７により外気導入口１５が開き状態にされ、内気導入口１６が閉じ状態にされる。そして、排気ダンパー１４が開かれると共に、切換えダンパー１９により、ブロア１８からの流体が湿度調節熱交換器６を流通して車室３につながる流路が構築される。また、切換えダンパー１９により、車室３内の内気が温度調節熱交換器５を循環する流路が構築される。
【００７０】
経路切換え手段１２の動作により、圧縮手段１１で圧縮された圧縮媒体が、採・放熱熱交換器７、第１膨張弁８、湿度調節熱交換器６、温度調節熱交換器５の順に送られる。この状態で、圧縮流体が採・放熱熱交換器７から湿度調節熱交換器６に送られて湿度調節熱交換器６が凝縮器（Ｃｏｎ）となり、膨張された流体が温度調節熱交換器５に送られて温度調節熱交換器５が蒸発器（Ｅｖａ）となる。
【００７１】
ブロア１８の作動により、外気（例えば、２５℃）が装置ケース２の中の湿度調節熱交換器６に送られ、湿度調節熱交換器６のデシカント材から水分（矢印中○）が放出（脱着）され、水分を含んだ流体（例えば、湿度４５％）が車室３に送られて換気口４から排気される。同時に、車室３の内気が温度調節熱交換器５を循環し、内気の冷却が継続されて外気が導入されても、内気の温度が所望の範囲（例えば、２０℃から２５℃）に維持される。
【００７２】
これにより、所望の温度を維持し、車室３内の換気を行うことができ、車室３内の環境を快適に維持することができる。しかも、換気と同時に湿度調節熱交換器６のデシカント材から水分が脱着されるので、湿度調節熱交換器６の再生を行うことができる。
【００７３】
除湿・換気運転モードを行うことにより、車室３内の換気を行うと共に、湿度調節熱交換器６の再生を定期的に行うことができる。除湿・換気運転モードの切換えは、例えば、乗員により適宜行うことができる。
【００７４】
また、制御手段２１の制御により、除湿運転モードの運転時間の積算値が所定時間（湿度調節熱交換器６のデシカント材の水分が飽和状態になる時間）になった際に、自動的に除湿・換気運転モードに切換えるようにすることも可能である。また、湿度調節熱交換器６のデシカント材の水分量を検出し、検出値が所定値（湿度調節熱交換器６のデシカント材の水分が飽和状態になる値）になった際に、自動的に除湿・換気運転モードに切換えるようにすることも可能である。自動的に除湿・換気運転モードに切換えるようにすることで、湿度調節熱交換器６の再生を確実に行うことができ、除湿運転モードを安定して実施することができる。
【００７５】
上述した電動車両における空調装置１は、媒体の流通方向、及び、膨張弁の開放状態、絞り状態の動作を制御して、熱交換器（温度調節熱交換器５、湿度調節熱交換器６）での潜顕熱を個別に制御することにより、最小限の熱交換器を用いて、温度と湿度の調節ができ、簡素な機器構成でヒートポンプを効率よく動作させることが可能になる。この結果、上述した電動車両は、ヒートポンプを効率よく動作させて除湿を有効に行うことができ、内気循環の割合を多くしても快適な状態で（曇りをなくした状態で）温度調整を行うことができる空調装置１を備えた電動車両となる。
【産業上の利用可能性】
【００７６】
本発明は、ヒートポンプサイクルの空調装置を備えた電動車両の産業分野で利用することができる。
【符号の説明】
【００７７】
１  空調装置
２  装置ケース
３  車室
４  換気口
５  温度調節熱交換器
６  湿度調節熱交換器
７  採・放熱熱交換器
８  第１膨張弁
９  第２膨張弁
１１  圧縮手段
１２  経路切換え手段
１３  気液分離器
１４  排気ダンパー
１５  外気導入口
１６  内気導入口
１７  流入ダンパー
１８  ブロア
１９  切換えダンパー
２１  制御手段
【図１】
2018176936.tif 000003
【図２】
2018176936.tif 000004
【図３】
2018176936.tif 000005
【図４】
2018176936.tif 000006
【図５】
2018176936.tif 000007
【図６】
2018176936.tif 000008
【図７】
2018176936.tif 000009